(57)【要約】      （修正有）【課題】複数の木材により構成したことが外観上容易に判明せず、強度も十分得ることができる横架材を提供する。【解決手段】横架材は、樹木から樹心を含むように切り出され、四角柱状を呈する中央部材１０と、樹木から樹心を含まないように切り出され、四角柱状を呈し、中央部材１０に積層され、幅広面２０−４が板目で、幅狭面２０−５、２０−６が柾目であり、両側の端面２０−１、２０−２において、略円弧形状の内側が中央部材１０側となるように設けられた第１外側部材２０と、樹木から樹心を含まないように切り出され、四角柱状を呈し、中央部材１０に積層され、幅広面３０−３が板目で、幅狭面３０−５、３０−６が柾目であり、両側の端面３０−１、３０−２において、略円弧形状の内側が中央部材１０側となるように設けられた第２外側部材３０と、を有する。【選択図】図２
0003162457.tif 000002
【実用新案登録請求の範囲】
【請求項１】
木材からなる横架材であって、
樹木から樹心を含むように切り出された木材により形成され、四角柱状を呈する中央部材と、
樹木から樹心を含まないように切り出された木材により形成され、四角柱状を呈し、中央部材における樹心が露出した両側の端面以外の面に沿って積層された第１外側部材で、中央部材との接着面である第１接着面とは反対側の面が板目で、該第１接着面とは反対側の面に隣接する面で略円弧形状の年輪が露出した両側の端面以外の一対の面が柾目であり、両側の端面において、略円弧形状の内側が中央部材側となるように設けられた第１外側部材と、
樹木から樹心を含まないように切り出された木材により形成され、四角柱状を呈し、中央部材における第１外側部材が積層した面とは反対側の面に沿って積層された第２外側部材で、中央部材との接着面である第２接着面とは反対側の面が板目で、該第２接着面とは反対側の面に隣接する面で略円弧形状の年輪が露出した両側の端面以外の一対の面が柾目であり、両側の端面において、略円弧形状の内側が中央部材側となるように設けられた第２外側部材と、
を有することを特徴とする横架材。
【請求項２】
第１外側部材の曲げヤング係数が中央部材の曲げヤング係数よりも大きく、かつ、第２外側部材の曲げヤング係数が中央部材の曲げヤング係数よりも大きいことを特徴とする請求項１に記載の横架材。
【請求項３】
中央部材と第１外側部材と第２外側部材とは同じ種類の樹木から切り出された木材により形成されていることを特徴とする請求項１又は２に記載の横架材。
【請求項４】
中央部材における第１外側部材との接着面と第２外側部材との接着面間の長さが、第１外側部材の第１接着面と第１接着面とは反対側の面間の長さよりも長く形成されるとともに、第２外側部材の第２接着面と第２接着面とは反対側の面間の長さよりも長く形成されていることを特徴とする請求項１又は２又は３に記載の横架材。
【請求項５】
中央部材において、第１外側部材との接着面と第２外側部材との接着面間の長さが、第１外側部材との接着面及び第２外側部材との接着面に隣接する面で中央部材における両側の端面以外の一対の面間の長さよりも長く形成されていることを特徴とする請求項１又は２又は３又は４に記載の横架材。
【請求項６】
第１外側部材及び第２外側部材において、中央部材との接着面とその反対側の面間の長さが、柾目である一対の面間の長さよりも短く形成されていることを特徴とする請求項１又は２又は３又は４又は５に記載の横架材。
【請求項７】
木材からなる横架材であって、
樹木から樹心を含むように切り出された木材により形成され、四角柱状を呈する中央部材と、
樹木から樹心を含まないように切り出された木材により形成され、四角柱状を呈し、中央部材における樹心が露出した両側の端面以外の面に沿って積層された第１外側部材で、中央部材との接着面である第１接着面とは反対側の面が板目で、該第１接着面とは反対側の面に隣接する面で略円弧形状の年輪が露出した両側の端面以外の一対の面が柾目であり、両側の端面において、略円弧形状の内側が中央部材側となるように設けられた第１外側部材と、
樹木から樹心を含まないように切り出された木材により形成され、四角柱状を呈し、中央部材における第１外側部材が積層した面とは反対側の面に沿って積層された第２外側部材で、中央部材との接着面である第２接着面とは反対側の面が板目で、該第２接着面とは反対側の面に隣接する面で略円弧形状の年輪が露出した両側の端面以外の一対の面が柾目であり、両側の端面において、略円弧形状の内側が中央部材側となるように設けられた第２外側部材と、
を有し、
第１外側部材の曲げヤング係数が中央部材の曲げヤング係数よりも大きく、かつ、第２外側部材の曲げヤング係数が中央部材の曲げヤング係数よりも大きく形成され、
中央部材と第１外側部材と第２外側部材とは同じ種類の樹木から切り出された木材により形成され、
中央部材における第１外側部材との接着面と第２外側部材との接着面間の長さが、第１外側部材の第１接着面と第１接着面とは反対側の面間の長さよりも長く形成されるとともに、第２外側部材の第２接着面と第２接着面とは反対側の面間の長さよりも長く形成され、中央部材において、第１外側部材との接着面と第２外側部材との接着面間の長さが、第１外側部材との接着面及び第２外側部材との接着面に隣接する面で中央部材における両側の端面以外の一対の面間の長さよりも長く形成され、第１外側部材及び第２外側部材において、中央部材との接着面とその反対側の面間の長さが、柾目である一対の面間の長さよりも短く形成されていることを特徴とする横架材。
【考案の詳細な説明】
【技術分野】
【０００１】
本考案は、建築用の横架材に関するものであり、特に、複数の木材を重ねて接着して構成した桁材に関するものである。
【背景技術】
【０００２】
従来より、架材等に用いる構造用集成材として、特許文献１に示すように、樹木の心材のみを用いて構成することにより、樹木の心材は腐りにくく、耐朽性があり、圧縮強度が高いことから、集成材の耐久性を向上させるものが存在する。つまり、特許文献１の構造用集成材は、樹木を切削して板状に加工した板材を少なくとも３枚以上積層させた構造用集成材において、最外側に位置する一対の外層材及び該外層材に挟まれる内層材を樹木の心材で構成している。
【先行技術文献】
【特許文献】
【０００３】
【特許文献１】特開２００９−９３２号公報
【考案の概要】
【考案が解決しようとする課題】
【０００４】
しかし、上記特許文献１に記載の集成材においては、樹木の心材のみで構成するので、集成材の端面（年輪に対して直角の面）の模様が年輪の中央部分の模様を複数含む模様となってしまい、外観上明らかに複数の木材により構成したことが判明してしまう。また、特許文献１に記載の集成材においては、樹木の心材のみで構成するので、強度が十分でないという問題があった。また、特許文献１においては、強度が十分でないことを補うために、外層材をからまつ、ひば、ひのき、米ひのき、あかまつ、くろまつ、米まつから等の圧縮強度の高い樹木により形成することが提案されているが、そのような場合には、各樹木の模様や風合いが異なることから、複数の木材により構成したことが容易に判明してしまうという問題がある。
【０００５】
そこで、本考案は、複数の木材により構成したことが外観上容易に判明せず、強度も十分得ることができる横架材を提供することを目的とするものである。
【課題を解決するための手段】
【０００６】
本考案は上記問題点を解決するために創作されたものであって、第１には、木材からなる横架材であって、樹木から樹心を含むように切り出された木材により形成され、四角柱状を呈する中央部材と、樹木から樹心を含まないように切り出された木材により形成され、四角柱状を呈し、中央部材における樹心が露出した両側の端面以外の面に沿って積層された第１外側部材で、中央部材との接着面である第１接着面とは反対側の面が板目で、該第１接着面とは反対側の面に隣接する面で略円弧形状の年輪が露出した両側の端面以外の一対の面が柾目であり、両側の端面において、略円弧形状の内側が中央部材側となるように設けられた第１外側部材と、樹木から樹心を含まないように切り出された木材により形成され、四角柱状を呈し、中央部材における第１外側部材が積層した面とは反対側の面に沿って積層された第２外側部材で、中央部材との接着面である第２接着面とは反対側の面が板目で、該第２接着面とは反対側の面に隣接する面で略円弧形状の年輪が露出した両側の端面以外の一対の面が柾目であり、両側の端面において、略円弧形状の内側が中央部材側となるように設けられた第２外側部材と、を有することを特徴とする。
【０００７】
第１の構成の横架材においては、第１外側部材と第２外側部材において、両側の端面において、略円弧形状の内側が中央部材側となるように設けられているので、複数の木材により構成したことが外観上容易に判明せず、１本の木から切り出した木材のような外観を与えることができる。
【０００８】
また、中央部材に第１外側部材と第２外側部材とが積層して設けられているので、横架材の強度を向上させることができる。つまり、第１外側部材と第２外側部材は樹心を有さない構成であるので中央部材よりも強度が大きく、第１外側部材と第２外側部材によって中央部材を挟んだ構成とすることにより、中央部材のみの場合と比べて強度を向上させることができる。
【０００９】
また、横架材は、中央部材に第１外側部材と第２外側部材とを接着した構成であるので、太さの大きい横架材を得ることができ、特に、日本における国産材は太さの小さい木材が多いので、本実施例の横架材によれば、太さの大きい構造材を得ることができる。
【００１０】
また、第２には、上記第１の構成において、第１外側部材の曲げヤング係数が中央部材の曲げヤング係数よりも大きく、かつ、第２外側部材の曲げヤング係数が中央部材の曲げヤング係数よりも大きいことを特徴とする。よって、横架材の強度を向上させることができる。
【００１１】
また、第３には、上記第１又は第２の構成において、中央部材と第１外側部材と第２外側部材とは同じ種類の樹木から切り出された木材により形成されていることを特徴とする。よって、より複数の木材により構成したことが外観上容易には判明しないようにすることができ、１本の木から切り出した木材のような外観を与えることができ、美しい質感を与えることができる。
【００１２】
また、第４には、上記第１から第３までのいずれかの構成において、中央部材における第１外側部材との接着面と第２外側部材との接着面間の長さが、第１外側部材の第１接着面と第１接着面とは反対側の面間の長さよりも長く形成されるとともに、第２外側部材の第２接着面と第２接着面とは反対側の面間の長さよりも長く形成されていることを特徴とする。
【００１３】
また、第５には、上記第１から第４までのいずれかの構成において、中央部材において、第１外側部材との接着面と第２外側部材との接着面間の長さが、第１外側部材との接着面及び第２外側部材との接着面に隣接する面で中央部材における両側の端面以外の一対の面間の長さよりも長く形成されていることを特徴とする。
【００１４】
また、第６には、上記第１から第５までのいずれかの構成において、第１外側部材及び第２外側部材において、中央部材との接着面とその反対側の面間の長さが、柾目である一対の面間の長さよりも短く形成されていることを特徴とする。
【００１５】
また、第７には、木材からなる横架材であって、樹木から樹心を含むように切り出された木材により形成され、四角柱状を呈する中央部材と、樹木から樹心を含まないように切り出された木材により形成され、四角柱状を呈し、中央部材における樹心が露出した両側の端面以外の面に沿って積層された第１外側部材で、中央部材との接着面である第１接着面とは反対側の面が板目で、該第１接着面とは反対側の面に隣接する面で略円弧形状の年輪が露出した両側の端面以外の一対の面が柾目であり、両側の端面において、略円弧形状の内側が中央部材側となるように設けられた第１外側部材と、樹木から樹心を含まないように切り出された木材により形成され、四角柱状を呈し、中央部材における第１外側部材が積層した面とは反対側の面に沿って積層された第２外側部材で、中央部材との接着面である第２接着面とは反対側の面が板目で、該第２接着面とは反対側の面に隣接する面で略円弧形状の年輪が露出した両側の端面以外の一対の面が柾目であり、両側の端面において、略円弧形状の内側が中央部材側となるように設けられた第２外側部材と、を有し、第１外側部材の曲げヤング係数が中央部材の曲げヤング係数よりも大きく、かつ、第２外側部材の曲げヤング係数が中央部材の曲げヤング係数よりも大きく形成され、中央部材と第１外側部材と第２外側部材とは同じ種類の樹木から切り出された木材により形成され、中央部材における第１外側部材との接着面と第２外側部材との接着面間の長さが、第１外側部材の第１接着面と第１接着面とは反対側の面間の長さよりも長く形成されるとともに、第２外側部材の第２接着面と第２接着面とは反対側の面間の長さよりも長く形成され、中央部材において、第１外側部材との接着面と第２外側部材との接着面間の長さが、第１外側部材との接着面及び第２外側部材との接着面に隣接する面で中央部材における両側の端面以外の一対の面間の長さよりも長く形成され、第１外側部材及び第２外側部材において、中央部材との接着面とその反対側の面間の長さが、柾目である一対の面間の長さよりも短く形成されていることを特徴とする。
【００１６】
よって、第１外側部材と第２外側部材において、両側の端面において、略円弧形状の内側が中央部材側となるように設けられているので、複数の木材により構成したことが外観上容易に判明せず、１本の木から切り出した木材のような外観を与えることができる。また、中央部材と第１外側部材と第２外側部材とは同じ種類の樹木から切り出された木材により形成されているので、その点によっても、複数の木材により構成したことが外観上容易に判明せず、１本の木から切り出した木材のような外観を与えることができる。
【００１７】
また、中央部材に第１外側部材と第２外側部材とが積層して設けられているので、横架材の強度を向上させることができる。つまり、第１外側部材と第２外側部材は樹心を有さない構成であるので中央部材よりも強度が大きく、第１外側部材と第２外側部材によって中央部材を挟んだ構成とすることにより、中央部材のみの場合と比べて強度を向上させることができる。
【考案の効果】
【００１８】
本考案に基づく横架材によれば、第１外側部材と第２外側部材において、両側の端面において、略円弧形状の内側が中央部材側となるように設けられているので、複数の木材により構成したことが外観上容易に判明せず、１本の木から切り出した木材のような外観を与えることができる。
【００１９】
また、中央部材に第１外側部材と第２外側部材とが積層して設けられているので、横架材の強度を向上させることができる。つまり、第１外側部材と第２外側部材は樹心を有さない構成であるので中央部材よりも強度が大きく、第１外側部材と第２外側部材によって中央部材を挟んだ構成とすることにより、中央部材のみの場合と比べて強度を向上させることができる。
【００２０】
また、横架材は、中央部材に第１外側部材と第２外側部材とを接着した構成であるので、太さの大きい横架材を得ることができ、特に、日本における国産材は太さの小さい木材が多いので、本実施例の横架材によれば、太さの大きい構造材を得ることができる。
【図面の簡単な説明】
【００２１】
【図１】本考案の実施例に基づく横架材の斜視図である。
【図２】本考案の実施例に基づく横架材の分解斜視図である。
【図３】中央部材の切出し方法を示す説明図である。
【図４】第１外側部材と第２外側部材の切出し方法を示す説明図である。
【図５】横架材の製造工程を示す説明図である。
【考案を実施するための形態】
【００２２】
本考案においては、複数の木材により構成したことが外観上容易に判明せず、強度も十分得ることができる横架材を提供するという目的を以下のようにして実現した。
【００２３】
本考案に基づく横架材５は、図１、図２に示すように構成され、中央部材１０と、中央部材１０の一方の面に接着された第１外側部材２０と、中央部材１０の該一方の面とは反対側の面に接着された第２外側部材３０とを有している。この横架材は、いわゆる接着重ね梁である。
【００２４】
ここで、中央部材１０は、四角柱状を呈し、その横断面形状は、長方形状を呈し、該長方形状の長辺の長さａ１は短辺の長さｂ１よりも長く形成されている。つまり、第１外側部材２０との接着面と第２外側部材３０との接着面間の長さａ１が、第１外側部材２０との接着面である幅狭面１０−４及び第２外側部材３０との接着面である幅狭面１０−３に隣接する面で中央部材１０における両側の端面１０−１、１０−２以外の一対の面間の長さ（つまり、幅広面１０−５と幅広面１０−６間の長さ）よりも長く形成されている。この中央部材１０は、図３に示すように、樹木４０の樹心１２を含むように切り出された木材であり、中央部材１０は、いわゆる心持ち材である。なお、樹心とその周辺部分を心材と呼ぶ。
【００２５】
ここで、中央部材１０の両側の端面１０−１、１０−２を除く面は、一対の幅狭面１０−３、１０−４と、一対の幅広面１０−５、１０−６とで構成され、一対の幅狭面１０−３、１０−４と一対の幅広面１０−５、１０−６とは、いずれも板目となっている。ここで、板目とは、年輪に接する方向に切り取った面をいう。なお、中央部材１０において、一対の端面１０−１と端面１０−２とは互いに平行であり、幅狭面１０−３とその反対側の幅狭面１０−４とは互いに平行であり、幅広面１０−５とその反対側の幅広面１０−６とは互いに平行となっている。
【００２６】
また、第１外側部材２０は、四角柱状を呈し、その横断面形状は長方形状を呈し、該長方形状の短辺の長さａ２は長辺の長さｂ２よりも短く形成され（ａ２＜ｂ２）、長さａ２は長さａ１よりも短く形成され（ａ２＜ａ１）、長さｂ２は長さｂ１と略同一となっている（ｂ２≒ｂ１）。つまり、中央部材１０との接着面である幅広面２０−３とその反対側の幅広面２０−４間の長さａ２が、柾目である一対の幅狭面２０−５、２０−６間の長さｂ２よりも短く形成されている。また、中央部材１０における第１外側部材２０との接着面と第２外側部材３０との接着面間の長さａ１が、第１外側部材２０の幅広面（第１接着面）２０−３と幅広面２０−３とは反対側の幅広面２０−４間の長さａ２よりも長く形成されている。この第１外側部材２０は、図４に示すように、樹木４０の樹心１２を含まないように切り出された木材であり、第１外側部材２０は、いわば心去り材である。
【００２７】
ここで、第１外側部材２０の両側の端面２０−１、２０−２を除く面は、一対の幅広面２０−３、２０−４と、一対の幅狭面２０−５、２０−６とで構成され、中央部材１０と接する幅広面２０−３とその反対側の幅広面２０−４とが板目であり、幅広面２０−３、２０−４と隣接する幅狭面２０−５と幅狭面２０−６とが柾目となっている。つまり、中央部材１０との接着面である幅広面２０−３とは反対側の幅広面２０−４が板目で、該幅広面２０−４に隣接する面で略円弧形状の年輪が露出した両側の端面以外の一対の面である幅狭面２０−５、２０−６が柾目となっている。幅狭面２０−５と幅狭面２０−６とは互いに反対側の面となっている。ここで、柾目とは、年輪に対して略垂直に切り取った面をいう。なお、第１外側部材２０において、一対の端面２０−１と端面２０−２とは互いに平行であり、幅広面２０−３とその反対側の幅広面２０−４とは互いに平行であり、幅狭面２０−５とその反対側の幅狭面２０−６とは互いに平行となっている。
【００２８】
第１外側部材２０の幅広面２０−３が、中央部材１０の幅狭面１０−４に接着剤により接着されることにより、第１外側部材２０が中央部材１０に接着されている。つまり、第１外側部材２０は、中央部材１０における樹心が露出した両側の端面以外の面に沿って積層されている。この幅広面２０−３が第１接着面となる。
【００２９】
なお、第１外側部材２０の両側の端面２０−１、２０−２には、円弧形状の年輪模様が表れているが、その年輪模様を構成する円弧の内側が中央部材１０側となるように構成されている。これにより、中央部材１０の両側の端面１０−１、１０−２の年輪模様と連続した外観を与えることができる。つまり、第１外側部材２０の両側の端面２０−１、２０−２の年輪模様が中央部材１０の両側の端面１０−１、１０−２の年輪模様の樹心１２と同心円のような外観を与えることができる。
【００３０】
なお、長さａ２は長さｂ２よりも短く形成されているとしたが、長さａ２は長さｂ２以上としてもよい。
【００３１】
また、第２外側部材３０は、四角柱状を呈し、その横断面形状は長方形状を呈し、該長方形状の短辺の長さａ３は長辺の長さｂ３よりも短く形成され（ａ３＜ｂ３）、長さａ３は長さａ１よりも短く形成され（ａ３＜ａ１）、長さｂ３は長さｂ１と略同一となっている（ｂ３≒ｂ１）。つまり、中央部材１０との接着面である幅広面３０−４とその反対側の幅広面３０−３間の長さａ３が、柾目である一対の幅狭面３０−５、３０−６間の長さｂ３よりも短く形成されている。また、中央部材１０における第１外側部材２０との接着面と第２外側部材３０との接着面間の長さａ１が、第２外側部材の幅広面（第２接着面）３０−４と幅広面３０−４とは反対側の幅広面３０−３間の長さａ３よりも長く形成されている。この第２外側部材３０は、図４に示すように、樹木４０の樹心１２を含まないように切り出された木材であり、第２外側部材３０は、いわば心去り材である。
【００３２】
ここで、第２外側部材３０の両側の端面３０−１、３０−２を除く面は、一対の幅広面３０−３、３０−４と、一対の幅狭面３０−５、３０−６とで構成され、中央部材１０と接する幅広面３０−４とその反対側の幅広面３０−３とが板目であり、幅広面３０−３、３０−４と隣接する幅狭面３０−５と幅狭面３０−６とが柾目となっている。つまり、中央部材１０との接着面である幅広面３０−４とは反対側の幅広面３０−３が板目で、該幅広面３０−３に隣接する面で略円弧形状の年輪が露出した両側の端面以外の一対の面である幅狭面３０−５、３０−６が柾目となっている。幅狭面３０−５と幅狭面３０−６とは互いに反対側の面となっている。なお、第２外側部材３０において、一対の端面３０−１と端面３０−２とは互いに平行であり、幅広面３０−３とその反対側の幅広面３０−４とは互いに平行であり、幅狭面３０−５とその反対側の幅狭面３０−６とは互いに平行となっている。
【００３３】
第２外側部材３０の幅広面３０−４が、中央部材１０の幅狭面１０−３に接着剤により接着されることにより、第２外側部材３０が中央部材１０に接着されている。つまり、第２外側部材３０は、中央部材１０における第１外側部材２０が積層した面とは反対側の面に沿って積層されている。
【００３４】
なお、第２外側部材３０の両側の端面３０−１、３０−２には、円弧形状の年輪模様が表れているが、その年輪模様を構成する円弧の内側が中央部材１０側となるように構成されている。これにより、中央部材１０の両側の端面１０−１、１０−２の年輪模様と連続した外観を与えることができる。つまり、第２外側部材３０の両側の端面３０−１、３０−２の年輪模様が中央部材１０の両側の端面１０−１、１０−２の年輪模様の樹心１２と同心円のような外観を与えることができる。
【００３５】
なお、長さａ３は長さｂ３よりも短く形成されているとしたが、長さａ３は長さｂ３以上としてもよい。
【００３６】
また、中央部材１０の長手方向の長さｃ１と、第１外側部材２０の長手方向の長さｃ２と、第２外側部材３０の長手方向の長さｃ３とは、略同一に形成されている。
【００３７】
なお、横架材５においては、隣接する各部における隣接する面は面一に構成され、例えば、幅広面１０−５と幅狭面２０−５と幅狭面３０−５とは同一平面を形成するように面一に構成され、幅広面１０−６と幅狭面２０−６と幅狭面３０−６とは同一平面を形成するように面一に構成され、端面１０−１と端面２０−１と端面３０−１とは同一平面を形成するように面一に構成され、端面１０−２と端面２０−２と端面３０−２とは同一平面を形成するように面一に構成されている。
【００３８】
また、中央部材１０と第１外側部材２０と第２外側部材３０とは、同じ種類の樹木から切り出された木材により形成されている。
【００３９】
上記構成の横架材５の製造工程を図５等を使用して簡単に説明する。まず、樹木から中央部材１０と第１外側部材２０と第２外側部材３０とを切り出す（Ｓ１１）。ここで、中央部材１０を切り出す樹木と、第１外側部材２０及び第２外側部材３０を切り出す樹木は、同じ種類の樹木で異なる樹木とする。すなわち、中央部材１０は、図３に示すように、ある樹木４０から切り出し、第１外側部材２０と第２外側部材３０は、図４に示すように、中央部材１０を切り出した樹木４０とは異なる樹木４０から切り出す。なお、第１外側部材２０と第２外側部材３０とは異なる樹木から切り出してもよい。また、中央部材１０と第１外側部材２０と第２外側部材３０とは同じ種類の樹木から切り出された木材なので、中央部材１０をスギとする場合には、第１外側部材２０や第２外側部材３０もスギとし、中央部材１０をアカマツとする場合には、第１外側部材２０や第２外側部材３０もアカマツとする。
【００４０】
中央部材１０を切り出す際には、図３に示すように、樹心１２を含むように切り出し、また、樹心１２が端面におけるなるべく中央となるようにする。
【００４１】
また、第１外側部材２０や第２外側部材３０を切り出す際には、樹心１２を含まないように切り出し、図４に示すように、端面における長辺が年輪に接する方向となり、端面における短辺が年輪に接する方向に対して略直角の方向（年輪に対して略直角で年輪を横切る方向）となるようにする。
【００４２】
また、第１外側部材２０や第２外側部材３０については、第１外側部材２０の長さａ２や第２外側部材３０の長さａ３は、完成時の長さよりも長めに切り出しておく。つまり、後述するプレス加工により横架材５におけるＺ１−Ｚ２方向の長さが短くなり、また、後述するプレーナー加工Ｓ１３、Ｓ１６により長さａ２や長さａ３が短くなるので、予め長めに切り出しておく。
【００４３】
また、ステップＳ１５において、１つの横架材に用いる部材を選択するので、ステップＳ１１においては、複数の中央部材１０と複数の第１外側部材２０と複数の第２外側部材３０を切り出しておく。
【００４４】
次に、切り出した中央部材１０と第１外側部材２０と第２外側部材３０を乾燥する（Ｓ１２）。例えば、１１０℃〜１３０℃の温度で、１４０〜２００時間乾燥する。
【００４５】
次に、中央部材１０と第１外側部材２０と第２外側部材３０における各面をプレーナー加工して表面を平面状にする（Ｓ１３）。
【００４６】
次に、プレーナー加工を行った各部材、すなわち、中央部材１０と第１外側部材２０と第２外側部材３０の強度（例えば、曲げ強度（曲げヤング率））を測定する（Ｓ１４）。つまり、グレーティングマシンにより各部材の強度を測定する。
【００４７】
次に、１つの横架材に用いる中央部材１０と第１外側部材２０と第２外側部材３０を選択する（Ｓ１５）。すなわち、第１外側部材２０の曲げヤング係数を中央部材１０の曲げヤング係数よりも大きくし、第２外側部材３０の曲げヤング係数を中央部材１０の曲げヤング係数よりも大きくする場合には、ステップＳ１４で強度測定された部材の中から、中央部材１０よりも曲げヤング係数が高い第１外側部材２０と第２外側部材３０を選択する。また、曲げ強度の強い横架材とするには、中央部材１０、第１外側部材２０、第２外側部材３０ともに曲げヤング係数の大きい部材を選択する。
【００４８】
次に、中央部材１０と第１外側部材２０とを接着剤により接着するとともに、中央部材１０と第２外側部材３０とを接着剤により接着する（Ｓ１６）。接着に際しては、第１外側部材２０の端面と第２外側部材３０の端面の年輪模様を構成する円弧の内側が中央部材１０側となるようにする。
【００４９】
次に、接着剤により接着された中央部材１０と第１外側部材２０と第２外側部材３０とをプレス加工する（Ｓ１７）。つまり、第１外側部材２０の幅広面２０−４と第２外側部材３０の幅広面３０−３に対して圧力を加えることにより、接着面における接着を強固にする。
【００５０】
次に、横架材５を構成する中央部材１０と第１外側部材２０と第２外側部材３０の各面をプレーナー加工することにより表面仕上げをする（Ｓ１８）。なお、横架材５のＺ１−Ｚ２方向の長さは、第１外側部材２０の幅広面２０−４や第２外側部材３０の幅広面３０−３をプレーナー加工することにより調整する。
【００５１】
次に、横架材５の強度を測定して、横架材５が所望の強度を有しているか否かを確認する（Ｓ１９）。つまり、製造した横架材５の強度（例えば、曲げ強度（曲げヤング率））を測定する。以上の工程を経て横架材５が製造される。製造された横架材５は、建築物における桁として使用する。つまり、横架材５は、棟木と平行で、かつ、梁と直行して設けられる桁材として使用される。
【００５２】
本実施例の横架材５によれば、第１外側部材２０において、幅広面２０−３、２０−４が板目で、幅狭面２０−５、２０−６が柾目であり、第２外側部材３０において、幅広面３０−３、３０−４が板目で、幅狭面３０−５、３０−６が柾目であり、第１外側部材２０と第２外側部材３０の端面において年輪模様を構成する円弧の内側が中央部材１０側となるように構成されているので、複数の木材により構成したことが外観上容易に判明せず、１本の木から切り出した木材のような外観を与えることができ、美しい質感を与えることができる。特に、中央部材１０と第１外側部材２０と第２外側部材３０とを同じ種類の樹木から切り出された木材で構成するので、その点でも、複数の木材により構成したことが外観上容易に判明せず、１本の木から切り出した木材のような外観を与えることができる。
【００５３】
また、本実施例の横架材５によれば、中央部材１０に第１外側部材２０と第２外側部材３０が接着されているので、強度を向上させることができる。つまり、中央部材１０は樹心１２を有しているので、強度が大きくないという問題があるが、第１外側部材２０と第２外側部材３０は樹心１２を有さない構成であるので、中央部材１０よりも強度が大きく、中央部材１０よりも強度が大きい第１外側部材２０と第２外側部材３０によって中央部材１０を挟んだ構成とするので、中央部材１０のみの場合と比べて強度を向上させることができる。特に、第１外側部材２０や第２外側部材３０の曲げヤング係数を中央部材１０の曲げヤング係数よりも大きくする（つまり、第１外側部材２０や第２外側部材３０を構成する木材を中央部材１０の構成する木材の曲げヤング係数よりも大きい木材とする）ことにより、中央部材１０のみの場合と比べて曲げに対して強い横架材とすることができる。さらに、横架材５は、３つの木材により構成するので、捻れにも強い横架材とすることができる。
【００５４】
また、本実施例の横架材５は、中央部材１０に第１外側部材２０と第２外側部材３０とを接着した構成であるので、太さの大きい横架材を得ることができる。特に、日本における国産材は太さの小さい樹木が多いので、本実施例の横架材５によれば、太さの大きい構造材を得ることができる。
【００５５】
また、本実施例の横架材５においては、接着領域が２つのみであるので、通常の集成材に比べて接着面積が少なく、接着剤の使用量を抑えることができる。
【００５６】
また、中央部材１０と第１外側部材２０と第２外側部材３０の各部材の強度（例えば、曲げヤング係数）を選択することにより、横架材の強度を調整することができる。
【符号の説明】
【００５７】
５  横架材
１０  中央部材
２０  第１外側部材
３０  第２外側部材
【図１】
0003162457.tif 000003
【図２】
0003162457.tif 000004
【図３】
0003162457.tif 000005
【図４】
0003162457.tif 000006
【図５】
0003162457.tif 000007